(57)【要約】【課題】従来の装飾体支持具において、装飾体が設けられてなかった支持部材の上方の空間にも装飾体を設けることを可能にして、装飾効果の更なる向上を図ることができるようにする装飾体支持具に使用する装飾体取付アタッチメントを提供する。【解決手段】既存の装飾体支持具に、上方への取着部材を付加する機能を特徴とする装飾体取付アタッチメント１を取り付けることで、既存の装飾体支持具を利用しながらも上方向への装飾体の取り付けを可能とした。当該装飾用取付器具は可動式ブラケットの移動と固定可能により基部材の位置を固定することが可能であり、もって当該装飾用取付器具の安定した状態の固定が可能となる。これにより既存の装飾体支持具の装飾効果に加えて、上方向への更なる装飾効果が加わった。【選択図】　　　　図１
2004061780.tif 000002
【特許請求の範囲】
【請求項１】
装飾体を取り付けるための取着部材が複数設けられた装飾体支持具を上部に有する装飾装置において、上記装飾体支持具に取り付けて使用する装飾体取付アタッチメントであって、
装飾体を上方へ向け垂直方向または本質的に垂直方向に取り付けるための取着部材と、
当該取着部材を装飾体支持具に取り付けるための手段と、
を備えていることを特徴とする、
装飾体取付アタッチメント。
【請求項２】
装飾体を取り付けるための取着部材が複数設けられた装飾体支持具を上部に有する装飾装置において、上記装飾体支持具に取り付けて使用する装飾体取付アタッチメントであって、
基部材と、
当該基部材に設けてあり、装飾体を上方へ向け垂直方向または本質的に垂直方向に取り付けるための取着部材と、
上記基部材に移動及び固定可能に設けてあり、装飾体支持具の取着部材を通す挿通部を有するブラケットと、
を備えていることを特徴とする、
装飾体取付アタッチメント。
【請求項３】
立設されている支持部材を有し、該支持部材の周りには、装飾体を取り付けるための取着部材が複数設けられており、
上記支持部材の上部には、上記取着部材とは別の取着部材が設けられており、該取着部材は装飾体を上方へ向けるべく構成されていることを特徴とする、
装飾体支持具。
【請求項４】
装飾体を取り付けるための取着部材が複数設けられた装飾体支持具を上部に有する装飾装置において、
上記装飾体支持具は、装飾体を上方へ向け垂直方向または本質的に垂直方向に取り付けるための取着部材を含み、他の取着部材は、上記取着部材を囲むようにして複数設けられていることを特徴とする装飾装置。
【請求項５】
支柱の上部に、装飾体を取り付けるための取着部材が複数設けられた装飾体支持具が取り付けられている装飾装置において、
装飾体支持具は、装飾体を上方へ向け垂直方向または本質的に垂直方向に取り付けるための取着部材を含み、該取着部材の下方には支持部材を有し、該支持部材には、他の取着部材が支持部材の回りに複数設けられており、更に、装飾体支持具は支柱への取付手段を有していることを特徴とする装飾装置。
【発明の詳細な説明】
【０００１】
【発明の属する技術分野】
本発明は、装飾体取付アタッチメント、装飾体支持具及び装飾装置に関する。更に詳しくは、既存の装飾装置では装飾体が設けられていなかった空間にも装飾体を設けることができるようにして、装飾効果の更なる向上を図ったものに関する。
【０００２】
【従来技術】
例えば、自動車販売店等では、商品である自動車の周辺を華やかに演出し、消費者の購買意欲を喚起する効果を高めるために装飾装置を使用している。
従来の装飾装置は、立設した支柱、支柱の上端に取り付けられた、装飾体を取り付けるための装飾体支持具、及び、花弁体や小旗等の装飾体等で構成されており、装飾体を取り付ける部分が外方へ向け斜め上方に設けてある取着部材と支持部材を備えており、取着部材を支持部材に軸周方向に複数設けて形成してある。
【０００３】
【発明が解決しようとする課題】
しかし、上記した従来の装飾装置には、次のような課題があった。
従来の装飾装置では、取着部材に取り付けられた装飾体（例えば、複数の花弁体を枝部材に備えたもの）は、斜め上方に延びて、その先部が垂れ下がるようになっていた。
そのため、従来の装飾体支持具の真上方向には、装飾体が設けられない空間が形成されるため、その空間の活用が求められていた。
【０００４】
本発明者は、柱部材の上方の空間部にも装飾体を設けることができれば、装飾装置の装飾効果の更なる向上が図れるのではないかとの着想を得て、上記課題を解決すべく研究を重ね、本発明を完成するに至った。
【０００５】
（本発明の目的）
本発明の目的は、従来の装飾体支持具において、装飾体が設けられてなかった柱部材の上方の空間にも装飾体を設けることができるようにして、装飾効果の更なる向上を図ることができるようにすることにある。
【０００６】
また、本発明の他の目的は、上部に上方に向け装飾体を設けることができない既存の装飾体支持具に取り付けて、上記と同様の効果を得るようにすることにある。
【０００７】
【課題を解決するための手段】
上記目的を達成するために講じた本発明の手段は次のとおりである。
第１の発明にあっては、
装飾体を取り付けるための取着部材が複数設けられた装飾体支持具を上部に有する装飾装置において、上記装飾体支持具に取り付けて使用する装飾体取付アタッチメントであって、
装飾体を上方へ向け垂直方向または本質的に垂直方向に取り付けるための取着部材と、
当該取着部材を装飾体支持具に取り付けるための手段と、
を備えていることを特徴とする、
装飾体取付アタッチメントである。
【０００８】
第２の発明にあっては、
装飾体を取り付けるための取着部材が複数設けられた装飾体支持具を上部に有する装飾装置において、上記装飾体支持具に取り付けて使用する装飾体取付アタッチメントであって、
基部材と、
当該基部材に設けてあり、装飾体を上方へ向け垂直方向または本質的に垂直方向に取り付けるための取着部材と、
上記基部材に移動及び固定可能に設けてあり、装飾体支持具の取着部材を通す挿通部を有するブラケットと、
を備えていることを特徴とする、
装飾体取付アタッチメントである。
【０００９】
第３の発明にあっては、
立設されている支持部材を有し、該支持部材の周りには、装飾体を取り付けるための取着部材が複数設けられており、
上記支持部材の上部には、上記取着部材とは別の取着部材が設けられており、該取着部材は装飾体を上方へ向けるべく構成されていることを特徴とする、
装飾体支持具である。
【００１０】
第４の発明にあっては、
装飾体を取り付けるための取着部材が複数設けられた装飾体支持具を上部に有する装飾装置において、
上記装飾体支持具は、装飾体を上方へ向け垂直方向または本質的に垂直方向に取り付けるための取着部材を含み、他の取着部材は、上記取着部材を囲むようにして複数設けられていることを特徴とする装飾装置である。
【００１１】
第５の発明にあっては、
支柱の上部に、装飾体を取り付けるための取着部材が複数設けられた装飾体支持具が取り付けられている装飾装置において、
装飾体支持具は、装飾体を上方へ向け垂直方向または本質的に垂直方向に取り付けるための取着部材を含み、該取着部材の下方には支持部材を有し、該支持部材には、他の取着部材が支持部材の回りに複数設けられており、更に、装飾体支持具は支柱への取付手段を有していることを特徴とする装飾装置である。
【００１２】
なお、本明細書において、「装飾体」としては、例えば複数本の花弁体の集合体や看板等を挙げることできるが、装飾体はこれに限定するものではなく、装飾効果を備えるものであれば、例えば、生花、電飾で作られた花等を使用することもできる。
また、「取着部材」は、装飾体を挿し込んで取り付けるための接続部分である。当該取着部材の形態は特に限定せず、例えば、管体でも棒状のものでもよい。また、取着部材の形状は、断面形状が三角形、四角形等、多角形状の管体または棒体が考えられる。
【００１３】
（作　用）
本発明に係る装飾体取付アタッチメントは、装飾体を上方へ向け垂直方向または本質的に垂直方向に取り付けるための取着部材と、取着部材を装飾体支持具に取り付けるための手段を備えて構成したので、例えば、上部に上方へ向け装飾体を設けることができない既存の装飾体支持具にも、装飾体を上方へ向け取り付けることが可能となる。
【００１４】
基部材と、基部材に設けてあり装飾体を上方へ向け垂直方向または本質的に垂直方向に取り付けるための取着部材と、基部材に移動及び固定可能に設けてあり、支持具の取着部材を通す挿通穴を有するブラケットを備えた装飾体取付アタッチメントは、ブラケットを移動し、挿通部に既存の装飾体支持具の取着部材を通して固定することにより、例えば、上方向の装飾体を固定するのに適した位置に当該装飾体取付アタッチメントを取り付けることが可能となる。
【００１５】
本発明に係る装飾体支持具は、装飾体を斜め上方へ取り付けるための取着部材が支持部材の軸周方向へ複数設けられており、あわせて、装飾体を上方へ向け支持部材の軸線上に取り付けるための取着部材が設けられているため、当該装飾体支持具を使用することにより、斜め上方への装飾体の取り付けのみならず、当該支持具の垂直上方向にも装飾体が取り付けることが可能となる。
【００１６】
【発明の実施の形態】
本発明の実施の形態を図面に基づき更に詳細に説明する。
図１は本発明に係る装飾体取付アタッチメントの一実施の形態を示す斜視説明図、
図２は図１に示す装飾体取付アタッチメントを装飾体支持具に取り付けた状態を示す斜視説明図、
図３は装飾体取付アタッチメントの使用状態を示す説明図、
である。
【００１７】
符号１は装飾体取付アタッチメントを示している。装飾体取付アタッチメント１は、素材はステンレススチールで形成されており、円管状の取着部材１１と、取着部材１１を立設するための基部材１２と、基部材１２を所要位置に固定して設けるためのブラケット１３ａ、１３ｂで構成されている。
【００１８】
取着部材１１は所要の長さ（高さ）を有し、基部材１２の上面側の略中央に下端部を溶接によって固着し、上方向に垂直に立てて設けられている。
また、取着部材１１の周面の所要の位置には、管内に挿し込んで設けた装飾体をボルト、ナットで固定するための上部装飾体固定用ボルト孔１１２ａ、１１２ｂが貫通して設けてある。
【００１９】
基部材１２は、略正方形の板状体で形成されている。基部材１２のうち、取着部材１１の底部となる部分には水抜き穴１２１が設けられている。
また、取着部材１１を挟んだ両方の端辺側には、所要幅を設けて、２箇所にボルト挿通孔１２２が設けてある。
【００２０】
基部材１２には、ブラケット位置の調整機能付きのブラケット１３ａ、１３ｂが取り付けられている。
【００２１】
ブラケット１３ａ、１３ｂは、長方形状の板状体で形成されており、中央部には、既存の装飾体支持具に設けてある取着部材を通すための挿通穴１３１ａ、１３１ｂが形成されている。
挿通穴１３１ａ、１３１ｂは、取着部材の位置が調整可能なように長手方向の両端部が円弧状に設けられた長穴形状に形成されている。
挿通穴１３１ａ、１３１ｂの両側には、ブラケット１３ａ、１３ｂを基部材１２に固定するための長孔１３２が形成されている。長孔１３２は挿通穴１３１ａ、１３１ｂを挟んで、略平行に形成されている。
ブラケット１３ａ、１３ｂと基部材１２は、基部材１２の上部にナット１３４を設けて、蝶螺子１３３を長孔１３２とボルト挿通孔に通して螺合することで一体にしてある。蝶螺子１３３とナット１３４により基部材１２の幅方向の両側に２カ所ずつ計４カ所で締め付けて結合されており、ブラケットはスライドによる位置調整と、任意の位置での固定が可能である。
【００２２】
本実施例の形態において装飾体取付アタッチメント１は、ステンレススチールで形成したものを示したが、装飾体取付アタッチメント１を形成する材料は特に限定するものではなく、装飾体を固定するために十分な強度を備えるものであればよく、例えば木材、金属、合成樹脂、石材等を使用することもできる。
また、図２に示すように、装飾体取付アタッチメント１は主として装飾体支持具４に固定して使用するものである。装飾体支持具４は、支持部材４２の上部に装飾体を取り付ける６本の管状の取着部材４１ａ〜４１ｆが設けてある。取着部材４１ａ〜４１ｆは、それぞれが先部側を外方へ斜め上方に向けて、支持部材４２に軸周方向に設けてある。
【００２３】
図３は、本発明に係る装飾体取付アタッチメント１を既存の装飾体支持具４に取り付け、取着部材１１に装飾体２を、更に取着部材４１ａ〜４１ｆに装飾体３を取り付けて実施した状態を示しており、装飾装置を構成している。
支柱４３は上端を装飾体支持具４の支持部材４２に挿入して、各装飾体２、３を高所に位置させており、一方、支柱４３の下端は支柱用基台４４の上面に設けてある穴（図示省略）に差し込んで固定されている。
【００２４】
上部用（中央部用）の装飾体２は、上部用枝部材２３と花弁２１が多数枚付いた花弁体２２から成り、複数本の花弁体２２を周方向に全体が略球形状になるように上部用枝部材２３に装着し、上部用枝部材２３の端部を装飾体取付アタッチメント１の上方を向いている取着部材１１に取り付けて用いる。
斜上部用（周辺部用）の装飾体３は、斜上部用枝部材３１と花弁２１が複数枚付いた花弁体２２から成り、複数本の花弁体２２を枝部材３１に装着し、各花弁体２２の先端部が斜め下方に垂れ下がるようにして枝部材３１の端部を斜上方向の取着部材４１ａ〜４１ｆに取り付けて用いる。
【００２５】
（作　用）
図１ないし図３を参照して本実施の形態で示す装飾体取付アタッチメント１の作用を説明する。
【００２６】
装飾体取付アタッチメント１の取り付けは、具体的には、装飾体取付アタッチメント１の底部である基部材１２の縁部４カ所を４本の取着部材４１ｂ、４１ｃ、４１ｅ、４１ｆに当接させて基部材１２の取付位置を固定し、また基部材１２に接していない相対する２本の取着部材４１ａ、４１ｄをブラケット１３ａ、１３ｂの挿通穴１３１ａ、１３１ｂに通して、外側から内側に移動させ基部材１２の縁部との間で挟み込むように調整する。
調整が完了した位置で、４カ所にある蝶螺子１３３及びナット１３４を各々締めて、ブラケット１３ａ、１３ｂの位置を固定する。
その際、上方向を向いている取着部材１１の位置が既存の装飾体支持具４の支持部材４２の軸線上に位置するよう固定する。
【００２７】
この構造によれば、既存の装飾体支持具の取着部材が必ずしも均等な間隔を開けて配置されておらず、取着部材自体にもずれ、歪み等があるような場合でも、装飾体取付アタッチメント１は、ブラケット１３ａ、１３ｂによる取付位置調整機能を有するため、ブラケット１３ａ、１３ｂの取付角度を調整して容易に当該装飾体取付アタッチメント１を装着することができる。
また、長孔１３２を採用したことで基部材１２と各ブラケット１３ａ、１３ｂを用いて既存の装飾体支持具の取着部材を挟み込む際に、挿通穴１３１ａ、１３１ｂの位置を固定に適した位置に調整できる。
【００２８】
上記取付作業により、装飾体取付アタッチメント１は既存の装飾体支持具４に安定した状態で固定され、装飾体を上方向へ向け取り付けることが可能となる。
【００２９】
なお、既存の装飾体支持具であって各部の寸法が異なる多様なものにも対応できるため、簡易な取付方法でありながら、汎用性が高いという利点を有する。
【００３０】
装飾体取付アタッチメント１では、既存の装飾体支持具４の取着部材４１ａ〜４１ｆに装飾体３を取り付けて装飾しただけでなく、本発明の特徴である装飾体取付アタッチメント１の取着部材１１にも装飾体２を上方へ向けて取り付けることができるので、従来の装飾装置では飾り付けられていなかった上部の空間が装飾体２により装飾されることになり、より高い装飾効果が期待できる。
【００３１】
なお、本実施例では、取着部材１１に取り付ける装飾体は装飾体２であるが、装飾体を何ら限定するものではなく、同様に上方向への装飾効果をもたらすもの、例えば、図４の看板６などでもよい。
【００３２】
なお、本実施例では固定のためのブラケット１３ａ、１３ｂは２カ所に設けてあるが、ブラケットの数は限定するものではなく、３カ所以上でもよい。またブラケットが１箇所で基部材に挿通穴を有するものでもよい。
なお、ブラケットの位置の固定を蝶螺子１３３とナット１３４により行っているが、固定方法は何ら限定するものではなく、固定に適するものであれば、他の公知手段を使用してもよい。
【００３３】
図４は、本発明に係る装飾体支持具の他の実施の形態を示しており、上方向の取着部材である取着部材５１に看板を取り付けた状態を示す説明図である。符号５は装飾体支持具を示しており、当該装飾体支持具の素材は鉄であり表面は焼付塗装を施されている。
装飾体支持具５は、立設される支持部材５５を有しており、支持部材５５の上端側には軸周方向に取着部材である６本の管状の取着部材５２ａ〜５２ｆが設けてある。また、上記支持部材５５の上部側には軸線上に装飾体が取り付け可能な円管状の取着部材５１が設けてある。
取着部材５１は、先端側が斜め上方向に向け設けてある取着部材５２ａ〜５２ｆの内側に溶接部５４によって固着されている。
固定用ボルト孔５１３は、上方向に取り付ける装飾体を固定するための上部用装飾体固定ボルト５１１を挿入するためのものである。
支持部材５５の下部の孔５３は、当該装飾体取付基部材の表面の塗装の際にフックに引っ掛けて吊り下げるために使用される。
【００３４】
なお、本実施の形態において取着部材５１はアーク溶接を用いている。しかし、取着部材５１の固着はアーク溶接に限定するものではなく、例えば、他の溶接や樹脂系接着剤による接合方法等を採用してもよい。
また、本実施の形態での溶接部５４は、接合部分を何ら限定するものではなく、例えば、所要の長さを有する支柱部材の上端部を上方向の装飾体の取付部材とし、上端からやや下方位置に支柱の軸周方向に複数の取着部材を斜め上方へ向け溶接したものでもよい。
【００３５】
符号６は装飾体の他の例である看板を示している。看板６は、所要の大きさを有する長方形状の表示板６１と、表示板を支える支持金具６２を備えている。表示板６１の略中央部には、支持金具６２を取り付けるための通孔が縦方向に所要間隔を設けて２箇所に形成されている（図では見えない）。表示板６１の表面には広告宣伝効果を奏する文字が記載されている。支持金具６２は、所要の長さを有する２枚の板状物を重ね合わせて固着した構造である。
各板状物の上部側には、表示板６１の通孔と対応するように貫通孔が２箇所に設けてある。また、各板状物の下部側には、上方向の取着部材５１と固定するためのボルトを通す貫通孔が設けてある。
【００３６】
板状物の幅は取着部材５１の内径より小さく形成され、ややきつく差し込むことができるようにしてある。
看板６は、支持金具６２を構成する２枚の板状物で表示板６１を挟み、リベット等の固着具６３で固着して形成されている。
そして看板６は、支持金具６２を取着部材５１の上方から差し込み、支持金具６２の下部の貫通孔とボルト孔５１３にボルト５１１を挿通させナット５１２で締め付けて固定することにより抜けないように取り付けられてる。
【００３７】
なお、本実施例では、上部取着部材５１に看板６を取り付けているが、上部取着部材５１に取り付ける装飾体は何ら限定するものではなく、同様に上方向への装飾効果をもたらすもの、例えば、図３の装飾体２等でもよい。
【００３８】
（作　用）
支持金具６２を取着部材５１の上方から差し込み、ボルト孔５１３にボルト５１１を挿通させナット５１２で締め付けて固定することにより抜けないように取り付けることにより、取着部材５１から看板６が抜けるのを防ぎ、風等による看板の回転を防止することができる。
【００３９】
本実施例で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００４０】
【発明の効果】
本発明は上記構成を備え、次の効果を有する。
（ａ）本発明によれば、従来装飾体が設けられてなかった支柱あるいは装飾体支持具の上方の空間にも装飾体を設けることができるため、装飾効果の更なる向上を図ることができる。
（ｂ）本発明にかかる装飾体取付アタッチメントを使用することにより、既存の装飾体支持具を利用しつつ、装飾体を上方へ向け垂直方向または本質的に垂直方向に取り付けることが可能となる。
これにより従来の斜め上方の装飾に加え、上方向の装飾が加わり、更に高い装飾効果が期待される。
既存の装飾体支持具に取り付けることで容易に上記効果をもたらすことができるため、本発明に係る装飾体支持具への買い換えも不要である。
【００４１】
（ｃ）本発明にかかる装飾体取付アタッチメントは、ブラケットの有するブラケット位置調整機能により、上記の不都合がある既存の装飾体支持具にもブラケットの取付角度を調整して容易に当該装飾体取付アタッチメントを装着することができるため、既存の装飾体支持具であって各部の寸法が異なる多様なものに対応ができるという、簡易な取付手段でありながら高い汎用性を有する。
【００４２】
（ｄ）本発明に係る装飾体支持具は、支持部材の軸上方向に取着部材を設けることにより、既存の装飾体支持具にはない上方向への装飾が可能となり、更に高い装飾効果が期待される。
【図面の簡単な説明】
【図１】装飾体取付アタッチメントの斜視説明図。
【図２】装飾体取付アタッチメントを装飾体支持具である取着部材に取り付けた状態を示す斜視説明図。
【図３】本発明に係る装飾体取付アタッチメントを取り付けた装飾装置の説明図。
【図４】本発明に係る装飾体支持具の一実施の形態を示しており、取着部材である取着部材に看板を取り付けた状態を示す説明図。
【符号の説明】
１　装飾体取付アタッチメント
１１　上方向取着部材
１１１　上方向取付口
１１２ａ〜ｂ　ボルト挿通孔
１２　基部材
１２１　水抜き孔
１２２　ブラケット固定用ボルト孔
１３ａ〜ｂ　ブラケット
１３１ａ〜ｂ　斜め上方取着部材固定穴
１３２　長孔
１３３　蝶螺子
１３４　ナット
２　上部用装飾体
２１　花弁
２２　花弁体
２３　上部用枝部材
３　　斜上部用装飾体
３１　斜上部用枝部材
４　既存の装飾体支持具
４１ａ〜ｆ　斜め上方取着部材
４２　支持部材
４３　支柱
４４　支柱用基台
５　装飾体支持具
５１　上方向取着部材
５１１　上部用装飾体固定用ボルト
５１２　固定用ナット
５１３　固定用ボルト孔
５２ａ〜ｆ　斜め上方取着部材
５３　吊し孔
５４　溶接部
５５　柱部材
６　看板
６１　表示部
６２　支持金具
６３　固着具
【図１】
2004061780.tif 000003
【図２】
2004061780.tif 000004
【図３】
2004061780.tif 000005
【図４】
2004061780.tif 000006